(57)【要約】【課題】新たに専用の回路や表示手段を設けることなく、試験開始から試験終了までの保存庫内の温度を試験終了後に確認することができる保存庫を得る。【解決手段】保存庫は、収納物を所定温度に保存する断熱容器１と、断熱容器１内の温度を調整するペルチェ素子１０ａと、ペルチェ素子１０ａを制御する制御基板１６を備え、さらに保存庫の開閉扉５に設けられた設定部６１により断熱容器内温度及び断熱容器の温度保持時間を含むプログラムを設定し、記憶素子は設定部６１により設定されたプログラム及び断熱容器１内の温度を時系列的に記憶し、表示部６２は記憶素子に記憶された記憶情報を表示する。【選択図】図３
2008298398.tif 000002
【特許請求の範囲】
【請求項１】
収納物を所定温度に保存する断熱容器と、
前記断熱容器内を所定温度に保持する温度調整手段と、
前記断熱容器内の温度及び前記断熱容器内の温度保持時間を含むプログラムを設定する設定手段と、
前記設定手段により設定されたプログラムおよび運転時の断熱容器内の温度を時系列的に記憶する記憶手段と、
前記記憶手段により記憶された記憶情報を表示する表示手段とを備えたことを特徴とする保存庫。
【請求項２】
記憶手段は、過去に行われた試験のプログラムおよび運転時の断熱容器内の温度を蓄積して記憶することを特徴とする請求項１記載の保存庫。
【請求項３】
設定手段は、複数の操作スイッチを有し、
前記複数の操作スイッチを同時に、または所定の手順に従って操作することにより、記憶手段に記憶された記憶情報を表示手段に表示することを特徴とする請求項１または請求項２記載の保存庫。
【請求項４】
温度調整手段はペルチェ素子であることを特徴とする請求項１から請求項３のうちのいずれか１項記載の保存庫。
【発明の詳細な説明】
【技術分野】
【０００１】
この発明は、サーモモジュールにより庫内を保冷または保温する保存庫に関するものである。
【背景技術】
【０００２】
従来の飲食物等を収納した庫内をサーモモジュールにより保冷または保温する保存庫として、例えば特許文献１は、収納物を所定温度に保存するための断熱容器と、断熱容器の後壁に配設されたサーモモジュールと、サーモモジュールの庫内側の面に取付けられたアルミ系金属で形成された箱状の吸熱用の内箱と、サーモモジュールの庫外側の面に取付けられた放熱用のヒートシンクとを有する。そして、庫内の熱が吸熱用の内箱を介してサーモモジュールによって庫外側の面へ移動し、移動した熱が放熱用ヒートシンクを介して庫外へ放出されるように、断熱容器の後壁の外側に吸気口、排気口を有するカバーが取付けられて通風路（庫外室）が形成されている。また、保存庫の庫内温度を任意に設定可能な操作部を設けた保存庫が知られている。
【０００３】
【特許文献１】特開２００６−３３６９０６号公報
【発明の開示】
【発明が解決しようとする課題】
【０００４】
従来の保存庫は以上のように構成されていたので、庫内温度が設定温度に到達する過程での温度変化や経過時間などを確認する場合、専用の記録回路を装備する必要があり、さらに、記録データを表示する表示素子や記録データをパーソナルコンピュータなどに出力するための専用回路が必要となり費用が増大するといった課題があった。また、庫内温度が設定温度に到達する過程での温度変化や経過時間などを記録する場合、記録データを取り出すための設定が生じたり、必ずしも必要ではないデータを収集してしまうという課題があった。
【０００５】
一方、専用の記録回路を設けず試験データを収集しなかった場合には、試験データが予期せぬ結果になった際にも保存庫内の温度変化や経過時間などを確認することができず、原因究明または不具合事象を再現するために、複数回同一の試験を繰り返す必要があるという課題があった。また、試験データの不具合の原因が試験手順にあるのか、保存庫などの試験設備であるのかを特定するのに多大な時間を要するという課題があった。
【０００６】
この発明は、上記のような課題を解消するためになされたもので、専用の回路及び表示素子を設けることなく、試験開始から試験終了までの保存庫内の温度を試験終了後に確認することができる保存庫を提供することを目的とする。また、試験期間中のデータを必要としないユーザに対しては、上述の機能を意識させることなく、余分な作業を発生させることなく通常の操作が可能な保存庫を提供することを目的とする。
【課題を解決するための手段】
【０００７】
この発明に係る保存庫は、収納物を所定温度に保存する断熱容器と、前記断熱容器内を所定温度に保持する温度調整手段と、前記断熱容器内の温度及び前記断熱容器内の温度保持時間を含むプログラムを設定する設定手段と、前記設定手段により設定されたプログラムおよび運転時の断熱容器内の温度を時系列的に記憶する記憶手段と、前記記憶手段により記憶された記憶情報を表示する表示手段とを備えたものである。
【発明の効果】
【０００８】
この発明によれば、保存庫のプログラム及び保存庫運転時の断熱容器内の温度を時系列的に表示する表示手段を備えるように構成したので、保存庫の運転終了後に運転時の庫内温度、プログラム番号、設定温度及びプログラム経過時間など外部から確認可能な表示情報を過去に遡って、保存庫にあらかじめ設けられた表示手段を用いて再表示することができ、試験データが予期せぬ結果の場合に、原因究明を目的に庫内温度が設定温度に従い管理されていたか否かの確認を容易に行うことができる。さらにこの発明によれば、保存庫にあらかじめ設けられた表示手段を用いて表示情報を表示するように構成したので、過去の表示情報の再表示が不必要なユーザにとっても使用上の不便さが発生しない。
【発明を実施するための最良の形態】
【０００９】
実施の形態１．
図１は、この発明の実施の形態１に係る保存庫の構成を示す斜視図である。図２は、図１におけるＡ−Ａ線断面図である。
保存庫の構成について図１及び図２を用いて説明する。実施の形態１では、保存庫としてサーモモジュール１０を使用した冷蔵用保存庫を示している。断熱容器１は、内箱２、外箱３、内箱２と外箱３との間に介在するように注入された断熱材４を備えている。内箱２は、熱伝導性がよく腐食に強いアルミ系金属板で形成されている。また、断熱容器１の正面部には開放口が設けられており、当該開放口に開閉扉５が設けられている。開閉扉５は、外板５ａと庫内側面５ｂにより形成された中空部分に断熱材５ｃを注入することにより断熱性能を備えている。なお、庫内側面５ｂは外板５ａのうち庫内に面する部分である。
【００１０】
サーモモジュール１０は、ペルチェ素子（温度調整手段）１０ａ、利用側熱交換面部１０ｂ及び熱源側熱交換面部１０ｃを備えている。断熱容器１の後壁には、サーモモジュール１０と略同じ大きさの収納穴が外箱３、断熱材４を貫通し、内箱２を成す金属板を残して形成され、当該収納穴内にサーモモジュール１０が配設されている。また、サーモモジュール１０と、内箱２との間に熱伝導性のよいアルミ系合金の伝熱ブロック１１を介在させ、伝熱ブロック１１を内箱２にネジ止めにより熱伝導される状態に接合している。また、サーモモジュール１０の利用側熱交換面部１０ｂと内箱２は、伝熱ブロック１１を介し伝熱可能に接合している。なお、伝熱ブロック１１は、断熱材４の注入により断熱容器１に一体的に固定されている。また、サーモモジュール１０は、伝熱ブロック１１に対してネジ等により後面側から着脱自在に固定されている。
【００１１】
ヒートシンク１２は、サーモモジュール１０の熱源側熱交換面部１０ｃと熱伝導的に接合されている。ヒートシンク１２は、多数のアルミフィン１２ａが縦方向に配置されており、下側から上側へ縦方向に空気を流通させて熱交換させる機能を有している。背面カバー１３は、ヒートシンク１２を覆い、制御回路構成機器を配設したコントロール基板（制御基板）１６を囲うように折り曲げて構成されて風路を形成すると共に、断熱容器１の背面全体を覆い、断熱容器１の後壁外側に庫外室を形成している。吸気口１４は、背面カバー１３の下部、ヒートシンク１２の下側に位置するように、また断熱容器１の底面と略同じ面内に位置するように設けられている。吸気孔１４には、フィルタ３０が設けられている。
【００１２】
排気口１５は、背面カバー１３の後面上部、ヒートシンク１２と略同一線上にヒートシンク１２を通過した空気の流れを遮らないようにヒートシンク１２の上部から離れた位置に形成されている。また、排気口１５には、断熱容器１の後方に向けて空気を排気する軸方向送風機２０が取り付けられている。このように構成されている保存庫は、空気が吸気孔１４から流入してヒートシンク１２の放熱フィン１２ａの間を通り、排気口１５から流出する。このように空気の流れ９０は、保存庫の下部から上部に向かって流れるので自然対流による空気の駆動力によって流通がスムーズに行われる。
【００１３】
断熱容器１の底壁には、内箱２の内面に形成されたドレン水を、断熱容器１の下方に配設された皿状のドレンパン４０に導くための排水口４１が設けられている。またドレンパン４０の先端にはドレンパン４０を引き出すためのドレンパン取っ手４０ａが設けられている。また、断熱容器１の底面には台足５０が設けられており、台足５０は保存庫の前後２箇所に左右対称に計４箇所に配置されている。
【００１４】
また、開閉扉５の中央部には操作部６０が設けられている。操作部６０は、ユーザが保存庫内の温度を任意の温度及び任意の時間で設定可能なユニットであり、図示しないマイコン、記憶素子、設定部及び表示部などが基板上に実装されている。操作部６０の動作として、例えば保存庫の運転中の庫内温度、プログラム番号、設定温度及びプログラム経過時間が所定時間おきに基板上に実装されている記憶素子に数値データとして自動的に保存される。ユーザは、保存庫の運転開始から所定時間おきに記憶素子に保存されている庫内温度、プログラムの番号、設定温度及びプログラム経過時間を表示部に表示して内容を確認することができる。
【００１５】
図３は、この発明の実施の形態１に係る保存庫の操作部を示す構成図である。図３を用いて、設定部及び表示部の詳細及び保存されているデータの確認方法を説明する。
操作部６０の外側表面は、設定部（設定手段）６１及び表示部（表示手段）６２から構成されている。設定部６１は、保存庫の運転を開始する開始ボタン７０、保存庫の運転を終了する終了ボタン７１、保存庫が運転中に点灯するＬＥＤ７２、庫内設定温度や温度保持時間などのプログラムを設定するプログラムボタン７３、プログラム設定中に点灯するＬＥＤ７４、プログラムの項目設定及び数値入力を行う操作ボタン７５，７６，７７，７８から構成されている。
【００１６】
表示部６２は、温度表示部８０、プログラム表示部８１及び時間表示部８２から構成されており、温度表示部８０は、庫内温度またはプログラム設定温度を示す数字ＬＥＤ８０ａ、数字ＬＥＤ８０ａに庫内温度が表示されているときに点灯するＬＥＤ８０ｂ及び数字ＬＥＤ８０ａにプログラム設定温度が表示されているときに点灯するＬＥＤ８０ｃにより構成されている。プログラム表示部８１はプログラムの繰り返し回数を示す数字ＬＥＤ８１ａ及びプログラム番号を示す数字ＬＥＤ８１ｂにより構成され、時間表示部８２はプログラムの設定時間及びプログラム経過時間を示す数字ＬＥＤ８２ａにより構成されている。
【００１７】
次に、図２を用いて保存庫の動作について説明する。保存庫の運転が開始されるとサーモモジュール１０へ直流電力が印加され、サーモモジュール１０の利用側熱交換面部１０ｂで吸熱動作が行われると共に、軸流送風機２０が運転されて、図中の矢印で示すように、空気の流れ９０がフィルタ３０を通過して吸気口１４から吸入され、背面カバー１３内を流通して排気口１５から排出される。これにより、断熱容器１内では、伝熱ブロック１１を介して断熱容器１の内箱２が冷却され、断熱容器１内が所定温度に制御される。また、サーモモジュール１０の熱源側熱交換面部１０ｃでは、放熱がヒートシンク１２を介し背面カバー１３内を流通する空気との間で行われ、断熱容器１内で吸熱された熱量分が空気に対し放熱される。
【００１８】
次に、図３を用いて保存庫の運転時の庫内温度、プログラム番号、設定温度及びプログラム経過時間など外部から確認可能な表示情報を過去に遡って、保存庫の運転終了後に表示部６２に表示させる動作（以下、履歴モードと称する）について説明する。なお、履歴モードは運転開始から終了に至るまでの運転中の庫内温度または設定温度、プログラム回数、プログラム番号、時間、ファンの回転数、ペルチェ素子の制御電圧など表示部６２に表示される全ての情報を運転終了後に確認できるように構成してもよい。
【００１９】
履歴モードは、２０分ごとに温度表示部８１、プログラム表示部８２及び時間表示部８３に表示されていた表示情報が一定時間分記憶素子に記憶される。この実施の形態１においては、過去３回分の試験データを記憶し、それ以前のものは破棄される構成を示すが、必ずしも３回分に限定されるものではなく任意に設定可能である。試験データは開始ボタン７１が押される度に新規な試験データとして認識されて記憶される。
【００２０】
次に、履歴モードに移行し、保存庫の運転結果を確認する方法について説明する。まず、履歴モードに移行するために、設定部６１の操作ボタン７７及び７８を同時に約２０秒連続で押す。履歴モードに移行すると、最後に記憶されている状態（履歴モードに入る直前の状態）が表示部６２に表示される。また、履歴モードに移行している場合には、プログラム表示部８１の数字ＬＥＤ８１ａ及び８１ｂの右下端に設けられた二つのドットＬＥＤを同時に点滅させるなどしてユーザに報知する。履歴モードに移行した状態で操作ボタン７７を１度押すと、表示部６２には現在の表示から２０分前の状態の履歴データが表示される。また、過去の履歴を表示している状態で操作ボタン７８を１度押すと、表示部６２には現在の表示から２０分後の状態の履歴データが表示される。
【００２１】
次に、履歴モードにおいて、複数の試験データ間でデータの確認を行う方法について説明する。図４は、この発明の実施の形態１に係る発明の保存庫の試験データ確認方法を示す図である。
試験データは、設定部６１の開始ボタン７１を押す毎に新規の試験データとして認識されて記憶され、最大記憶可能な試験回数は３回である。図４のパターン３に示すように、履歴モードの状態において、試験１の履歴データを表示している際に操作ボタン７７を約１０秒連続で押すと、試験１において最も古い履歴データに移行する。また、図４のパターン４に示すように、履歴モードの状態において、試験１の履歴データを表示している際に操作ボタン７８を約１０秒連続で押すと、試験１において最も新しい履歴データに移行する。
【００２２】
一方、図４のパターン１に示すように、履歴モードで試験１の履歴データを表示している際に操作ボタン７６を１度押すと、試験２の履歴データを表示する。この状態で操作ボタン７７を約１０秒連続で押すと、試験２で最も古い試験データを表示する。さらに、この状態から操作ボタン７５を１度押すと、図４のパターン２に示すように試験１において最も新しい履歴データを表示する。履歴モードの状態において、操作ボタン７３を押すと、履歴モードから通常運転に復帰する。履歴モード中においても通常運転は継続されており、履歴モードから通常運転に復帰した際には、復帰した時点での庫内温度、プログラム及び時間が表示部６２に表示される。
【００２３】
履歴モードでは、履歴データを表示した際に、どのデータであるかの確認を容易にするために履歴データに履歴番号を付している。図５は、履歴データに履歴番号を付す例を示した図である。図５に示すように、履歴データは各試験毎に分け、例えば試験回数が１回であり試験１の履歴データが１８００個である場合には、試験１の履歴データに対して０００１−２０００の番号を割り当てそれぞれに異なる番号を付加し、数字ＬＥＤ４桁を用いて履歴表示を行う。また、試験回数が３回で、試験１の履歴データが１８００個、試験２の履歴データが６００個、試験３の履歴データが４００個である場合には、試験１の履歴データに対して０００１−２０００の番号、試験２の履歴データに３００１−４０００の番号、試験３の履歴データの５００１−６０００の番号を割り当ててそれぞれに異なる番号を付加する。
【００２４】
次に、記憶素子に記憶される試験データの例を図６を用いて説明する。図６は、この発明の実施の形態１に係る保存庫の試験データの例を示す図である。なお、図６−１、図６−２、図６−３及び図６−４は連続したデータである。また、図６において履歴データの上部に記載されている「温度」「プログラム回数」「プログラム番号」「時間」は、それぞれ表示部６２の温度表示部８０、プログラム表示部８１及び時間表示部８２の表示名称に対応するものである。また、表示モード１において記載されている「庫内温度」「プログラム回数」「プログラム番号」「経過時間」、表示モード２において記載されている「設定温度」「アドレス」はそれぞれ表示機能の割り当てを示したものである。
【００２５】
図６に示した試験データは、１回目の試験において保存庫内の初期温度が２０℃であって１０時間に渡り庫内温度を３０℃に維持する運転を行った後、保存庫の電源を切り試験を終了し、次に２回目の試験において庫内温度を５℃に維持する運転を行い、７時間が経過した際に記憶素子に記憶される試験データである。
【００２６】
まず、履歴モードに移行するには、操作ボタン７７及び７８を同時に約２０秒連続で押す。履歴モードに移行すると、まず最も新しい履歴データ（履歴モードに入る直前の状態）の表示モード１の内容が表示される。図６におけるデータ１０４が数字ＬＥＤ８０ａ，８１ａ，８１ｂ，８２ａに表示される。表示される内容を具体的に示すと、数字ＬＥＤ８０ａは庫内温度を示す「０５」、数字ＬＥＤ８１ａはプログラム回数を示す「１」、数字ＬＥＤ８１ｂはプログラム番号を示す「１」、数字ＬＥＤ８２ａはプログラム経過時間を示す「７．０」を表示する。次に、表示モード１から表示モード２に切り替えるには操作ボタン７５及び７６を同時に約５秒連続で押す。表示モード２に切り替わると、数字ＬＥＤ８０ａは庫内設定温度を示す「０５」、数字ＬＥＤ８１ａ、数字ＬＥＤ８１ｂ、数字ＬＥＤ８２ａは順番にアドレスを示す履歴番号である「０」「０」「４」「３」を表示する。
【００２７】
上述の表示モード２を表示している状態で操作ボタン７７を一度押すと、２０分前の状態の履歴データ、図６におけるデータ１０３が数字ＬＥＤ８０ａ，８１ａ，８１ｂ，８２ａに表示される。表示される内容を具体的に示すと、数字ＬＥＤ８０ａは庫内温度を示す「０５」、数字ＬＥＤ８１ａはプログラム回数を示す「１」、数字ＬＥＤ８１ｂはプログラム番号を示す「１」、数字ＬＥＤ８２ａはプログラム経過時間を示す「６．５」を表示する。表示モード２に切り替えると、数字ＬＥＤ８０ａが庫内設定温度を示す「０５」、数字ＬＥＤ８１ａ、数字ＬＥＤ８１ｂ、数字ＬＥＤ８２ａが順番にアドレスを示す履歴番号である「０」「０」「４」「２」を表示する。
【００２８】
次に、試験１の履歴データを表示している時に操作ボタン７７を約１０秒連続で押すと試験１で最初に記憶されている履歴データの表示モード１の内容が表示される。図６におけるデータ６２が数字ＬＥＤ８０ａ，８１ａ，８１ｂ，８２ａに表示される。表示される内容を具体的に示すと、数字ＬＥＤ８０ａは庫内温度を示す「２０」、数字ＬＥＤ８１ａはプログラム回数を示す「１」、数字ＬＥＤ８１ｂはプログラム番号を示す「１」、数字ＬＥＤ８２ａはプログラム経過時間を示す「０．０」を表示する。表示モード２に切り替えると、数字ＬＥＤ８０ａは庫内設定温度を示す「０５」、数字ＬＥＤ８１ａ、数字ＬＥＤ８１ｂ、数字ＬＥＤ８２ａは順番にアドレスを示す履歴番号である「０」「０」「０」「１」を表示する。
【００２９】
図５及び図６に示すように、複数回の試験データを記憶及び表示することができるので、例えば、試験中に試験試薬が何らかの形で変質して試験続行が不可能となった際に、試験試薬の変質の原因究明を目的として、保存庫運転時の庫内温度、プログラム番号、設定温度及びプログラム経過時間など外部から確認可能な表示情報を過去に遡って、表示部６２において再表示することができ、試験中に保存庫が正常に動作し、庫内温度は設定温度に従い管理されていたか否かの確認を容易に行うことができる。
【００３０】
以上のように、この実施の形態１によれば、操作部に保存庫内の温度変化等を記憶する記憶素子と、記憶素子に記憶された情報をあらかじめ設けられた表示部を用いて表示するように構成したので、保存庫の運転終了後に保存庫運転時の庫内温度、プログラム番号、設定温度及びプログラム経過時間など外部から確認可能な表示情報を過去に遡って、表示部に再表示することができる。また、あらかじめ設けられた表示部に再表示でき、新たな表示手段及び表示回路を設ける必要がなく、コストを抑制することができる。
【００３１】
また、この実施の形態１によれば、一定時間ごとに自動的に履歴データを記憶し、さらに、複数回の試験データを記憶するように構成したので、ユーザが設定することなく保存庫運転時の履歴データを記憶することができ、さらに上述の機能を使用しないユーザは上述の機能を意識することなく通常と同様の動作で保存庫を使用することができる。
【００３２】
なお、上記実施の形態１においては、保存庫運転時の庫内温度、プログラム番号、設定温度及びプログラム経過時間など外部から確認可能な表示情報を過去に遡って、保存庫にあらかじめ設けられた表示部に再表示する例を示したが、それ以外のデータにおいても制御を行っているマイコンが記憶可能なデータであれば、同様に履歴データとして扱うことができる。
【００３３】
なお、上記実施の形態１においては、保存庫運転時の庫内温度、プログラム番号、設定温度及びプログラム経過時間など外部から確認可能な表示情報を過去に遡って、保存庫にあらかじめ設けられた表示部に再表示する例を示したが、過去の表示情報を音声などにより再現するように構成してもよい。
【図面の簡単な説明】
【００３４】
【図１】この発明の実施の形態１に係る保存庫の斜視図である。
【図２】図１におけるＡ−Ａ線断面図である。
【図３】この発明の実施の形態１に係る保存庫の操作部の構成を示す図である。
【図４】この発明の実施の形態１に係る保存庫の試験データ確認方法を示す図である。
【図５】この発明の実施の形態１に係る保存庫の試験データの例を示す図である。
【図６−１】この発明の実施の形態１に係る保存庫の試験データの例を示す図である。
【図６−２】この発明の実施の形態１に係る保存庫の試験データの例を示す図である。
【図６−３】この発明の実施の形態１に係る保存庫の試験データの例を示す図である。
【図６−４】この発明の実施の形態１に係る保存庫の試験データの例を示す図である。
【符号の説明】
【００３５】
１  断熱容器、２  内箱、３  外箱、４，５ｃ  断熱材、５  開閉扉、５ａ  外板、５ｂ庫内側面、１０  サーモモジュール、１０ａ  ペルチェ素子、１０ｂ  利用側熱交換面部、１０ｃ  熱源側熱交換面部、１１  伝熱ブロック、１２  ヒートシンク、１２ａ  アルミフィン、１３  背面カバー、１４  吸気口、１５  排気口、１６  コントロール基板、２０  軸流送風機、３０  フィルタ、４０  ドレンパン、４０ａ  ドレンパンの取っ手、４１  排水口、５０  台足、６０  操作部、６１  設定部、６２  表示部、７０開始ボタン、７１  終了ボタン、７２，７４，８０ｂ，８０ｃ  ＬＥＤ、７３  プログラムボタン、７５，７６，７７，７８  操作ボタン、８０  温度表示部、８０ａ，８１ａ，８１ｂ，８２ａ  数字ＬＥＤ、８１  プログラム表示部、８２  時間表示部、９０  空気の流れ。
【図１】
2008298398.tif 000003
【図２】
2008298398.tif 000004
【図３】
2008298398.tif 000005
【図４】
2008298398.tif 000006
【図５】
2008298398.tif 000007
【図６−１】
2008298398.tif 000008
【図６−２】
2008298398.tif 000009
【図６−３】
2008298398.tif 000010
【図６−４】
2008298398.tif 000011